(57)【特許請求の範囲】
【請求項１】
熱可塑性樹脂、または再生熱可塑性樹脂から作られた板材を予め建設内装枠を保護する形状に加熱しながら延伸加工しかつ養生体の断面が略ムの字形状になるように折り曲げ成形された透明な熱可塑性樹脂、または再生熱可塑性樹脂から成る建設内装枠の養生体。
【請求項２】
請求項１に記載の建設内装枠の養生体において、
前記建設内装枠の角部に当たる養生体の角部には、衝撃吸収性の膨らみ部分が形成されている建設内装枠の養生体。
【発明の詳細な説明】
【０００１】
【発明の属する技術分野】
本発明は、透明で耐候性を有するプラスチック材から成る建設内装枠の養生体に関する。
【０００２】
【従来の技術】
例えば、住宅等の建物の建設現場では、複数の職人が出入りするとともに、建築材等の搬入も多い。そのため、建物内の建築材の表面は、汚染や衝撃などにさらされるおそれがあった。特に、建物内の内装は、完成時の外観を左右するところであるため、内装工事における内装材への汚染や衝撃による傷は、極力避ける必要があった。
【０００３】
そこで、実公昭５９−２７４８２号公報の「建築用の養生カバー」には、建物の柱、敷居、鴨居などの建築材の表面を、防水膜が表面の一部に形成されたダンボール紙または厚紙から成るカバーによって保護することが提案されている。
【０００４】
【発明が解決しようとする課題】
しかしながら、上記公報に記載された紙製の養生カバーは、太陽光を透過しにくい。通常、建設工期は６ヶ月程度に及ぶため、完成時において、養生カバーを装着した部分と装着しきれなかった部分とでは、退色性の度合いが相違してしまう。
【０００５】
かかる場合、完成時の建物の外観が若干損なわれるため、例えば建物の完成販売時に退色した部分の部材を交換する必要があった。しかしながら、部材を交換或いは修繕することによって、職人の手間や人件費がかかり、更に交換部品・修繕代も嵩むため、建設費用が必要以上に増大する可能性があった。
【０００６】
本発明は、上記課題に鑑みなされたものであり、建設中の内装材を汚染や衝撃のよる傷から保護するとともに、未保護の他の建築材との退色度合いが同程度になるように建設内装材の養生体を提供することを目的とする。
【０００７】
【課題を解決するための手段】
本発明は、熱可塑性樹脂、または再生熱可塑性樹脂から作られた板材を予め建設内装枠を保護する形状に加熱しながら延伸加工しかつ養生体の断面が略ムの字形状になるように折り曲げ成形された透明な熱可塑性樹脂、または再生熱可塑性樹脂から成る建設内装枠の養生体である。
【０００８】
透明熱可塑性樹脂、または再生熱可塑性樹脂から成るため、内装材の色合いを容易に視認できるとともに、内装材表面への汚染や衝撃を阻止することができる。更に、上述の養生体は透明であるため、太陽光線をほぼ透過する。従って、上記養生体により保護されている内装材と未保護の内装材との退色性はほぼ同じとなるため、建物完成時に外観が損なわれるおそれがない。これにより、従来のように退色性の異なる部材の交換・修繕の手間とコストを削減することができる。
【００１０】
熱可塑性樹脂または再生熱可塑性樹脂から作られた板材を加熱して成形することによって養生体を形成するため、近年のリサイクル運動の流れに沿った資源リサイクルにも寄与する養生体を提供することができる。この点から最も適当と考えられる再生熱可塑性樹脂は再生ポリエチレンテレフタレート（再生ＰＥＴ）である。ポリエチレンテレフタレート（ＰＥＴ）は、例えば飲料用ボトル（ＰＥＴボトル）などの成形原料である。近年、上記ＰＥＴボトルは飲料容器などのほか大量生産されている。容器製造工場から排出される廃材、また一般ゴミとしても分別回収されており、回収されたＰＥＴボトルは再利用されるために、通常、粉砕されペレット状に成形される。このペレット状の再生ＰＥＴを板材状に成形したものを、加熱成形して養生体とすることにより、建設業界におけるグリーン調達にも合致する。更に、上述したように、上記養生体は透明であるため、養生体により保護された部分と未保護部分との退色性がほぼ同じになるため、完成後の内装材の審美性を損なうおそれがない。
【００１１】
【発明の実施の形態】
以下、本発明の実施形態について説明する。
【００１２】
本実施の形態の建設内装材の養生体（以下「養生体」という）は、建設内装枠を保護する形状に成形された透明プラスチック材から成る。透明プラスチック材としては、例えば、透明な熱可塑性樹脂が好適であり、熱可塑性樹脂としては、例えば、ポリエチレン、ポリプロピレン、ポリ塩化ビニル、ポリスチレン、ポリ塩化ビニリデン、フッ素樹脂、ポリ（メタ）アクリル酸エステル樹脂、ポリアミド、ポリエステル、ポリフェニレンオキシド、ポリエチレンテレフタレート、熱可塑性ポリウレタン、ポリアセタールなどが挙げられるが、本実施の形態では、すでに言及した通りポリエチレンテレフタレート（ＰＥＴ）が好ましい。
【００１３】
また、本実施の形態の他の養生体は、再生熱可塑性樹脂から作られた板材を加熱状態で折り曲げ、建設内装枠を保護する形状に成形された透明な養生体である。上記再生熱可塑性樹脂は、上述の熱可塑性樹脂を再生し使用したものであり、特に、再生ポリエチレンテレフタレート（再生ＰＥＴ）が好適である。また、本実施の形態の養生体は、上記再生熱可塑性樹脂を含む板材を、ヒータ等の加熱手段を用いて加熱しながら延伸加工し内装枠を保護する形状に成形される。
【００１４】
成形された養生体の形状例を図１から図３を用いて説明する。
【００１５】
図１（ａ），（ｂ）には、壁仕上材１２の先端に設けられているドア枠１４の上端部を保護する養生体１０が示されている。ドア枠１４の上端部は、建築中の建築材搬入の際に接触しやすく、汚染や傷が付きやすいため、特に保護する必要がある。一方、養生体１０は透明であるため、ドア材１４の色感を損ねることない。更に、太陽光を遮蔽しないため、養生体１０により保護されている部分と未保護部分は、経時における退色性がほとんど遜色ないため、建物完成時の内装の外観が損なわれるおそれがない。
【００１６】
また、図２（ａ），（ｂ）には、壁仕上材１２の先端に設けられているドア枠１４の表面全体を保護する養生体２０が示されている。ドア枠１４は、建築中、職人等がドア開閉時に握るため、特にその表面が汚染や傷が付きやすい。従って、養生体２０であれば、ドア枠１４への汚染や衝撃に対してより保護性が向上する。なお、図２に記載の養生体２０では、例えば耐候性剤や耐紫外線剤を含有しても良い。
【００１７】
更に、図３（ａ），（ｂ）には、柱１６の側面及び角部分を保護する養生体３０が示されている。柱１６は、建築中、職人等がふれやすい場所でもあり、また建築材の搬入時に建築材が接触しやすいため、柱１６の表面は汚染や傷が付きやすい。このため、柱１６の角に当たる養生体３０の部分には、衝撃吸収性を付与するため、膨らみ部分３２が形成されていることが好ましい。上記養生体３０は、柱１６の一側面を覆うように形成されているが、これに限るものではなく、柱１６の二面を覆うようにしても良いし、柱１６に角部分のみを覆うように形成されても良い。
【００１８】
【発明の効果】
本発明の建設内装材の養生体は、建築中の建設内装材を汚染や衝撃から保護し、また保護されている部分と未保護部分との経時退色性がほぼ同じであるため、建物完成時の審美性を損なうおそれがない。また養生体は透明であるため、建物完成販売時にも、被養生部材の色感や材質感を損なうおそれもない。
【図面の簡単な説明】
【図１】  本実施の形態のドア枠の一部を保護するように装着された養生体の断面図である。
【図２】  本実施の形態のドア枠全面を保護するように装着された養生体の断面図である。
【図３】  本実施の形態の柱の側面と角部分を保護するように装着された養生体の断面図である。
【符号の説明】
１０，２０，３０  養生体、１２  壁仕上材、１４  ドア枠、１６  柱。
【図１】
0003971957.tif 000002
【図２】
0003971957.tif 000003
【図３】
0003971957.tif 000004